(57)【要約】【課題】大型の清掃設備を不要とし、水槽の底部に置くだけで或いは置いて自走させるのみで底部に浮遊或いは沈降した魚糞や残存餌等を効率よく除去清掃する簡単堅牢構造の水槽底部清掃装置を提供する【解決手段】水槽の底面に沿って形成した底板と、その両側から立ち上げて上方部を囲う囲撓フードとにより流入口と流出口を有する通水路を形成し、通水路内にフイルターを配置し、流入口側の底板に流入ガイドベローを設け、囲撓フードにフイルターを交換する交換蓋を設け、走行車輪機構又はスクリュー操舵機構を搭載した水槽底部清掃装置。【選択図】図２
0003157805.tif 000002
【実用新案登録請求の範囲】
【請求項１】
水槽の底面に沿って形成した底板と、その両側から立ち上げて上方部を囲う囲撓フードとにより流入口と流出口を有する通水路を形成し通水路内にフイルターを配置したことを特徴とする水槽底部清掃装置。
【請求項２】
流入口側の底板に流入ガイドベローを設け、囲撓フードにフイルターを交換する交換蓋を設けたことを特徴とする請求項１に記載の水槽底部清掃装置。
【請求項３】
底板に走行車輪機構を設け、又はフイルターの後方にスクリュー操舵機構を設けたことを特徴とする請求項１又は請求項２に記載の水槽底部清掃装置。
【考案の詳細な説明】
【技術分野】
【０００１】  本考案は、観賞用水槽或いは養殖用水槽又は浴槽、プールなどの所謂水槽の底部に置くだけで或いは置いて自走させるのみで底部に浮遊或いは沈降した魚糞や残存餌等を除去清掃する水槽底部清掃装置に関するものである。
【背景技術】
【０００２】  観賞用の水槽或いは養殖用水槽又は浴槽、プールなどの水槽は、底部に魚糞や残存餌、髪、皮膚等の汚物が浮遊或いは沈降する。この除去清掃は、循環給排水式清掃装置、給排入替式清掃装置、底面スクレーパ式清掃装置等の複雑で大型規模の設備と様々な機器．器具などを必要とする。その結果、設備投資が高額と成り、その結果ランニングコストが大きくなる。またその後の設備の造作や増設なども頻繁になる。【０００３】  更に、清掃後の回収汚物は、脱水乾燥処理、焼却処理などの二次処理を伴い多大な労力と時間を費やす。
【考案の開示】
【考案が解決しようとする課題】
【０００５】  本考案は、従来のように大型の清掃設備を不要とし、水槽の底部に置くだけで或いは置いて自走させるのみで底部に浮遊或いは沈降した汚物を効率よく除去清掃する簡単堅牢構造の水槽底部清掃装置を提供する。
【課題を解決するための手段】
【０００６】上記課題を満足させる本考案の特徴とする技術構成は、次の（１）〜（３）の通りである。
（１）、水槽の底面に沿って形成した底板と、その両側から立ち上げて上方部を囲う囲撓フードとにより流入口と流出口を有する通水路を形成し、通水路内にフイルターを配置したことを特徴とする水槽底部清掃装置。
（２）、流入口側の底板に流入ガイドベローを設け、囲撓フードにフイルターを交換する交換蓋を設けたことを特徴とする前記（１）に記載の水槽底部清掃装置。
（３）、底板に走行車輪機構を設け、又はフイルターの後方にスクリュー操舵機構を設けたことを特徴とする前記（１）又は（２）に記載の水槽底部清掃装置。
【考案の効果】
【０００７】  本考案の水槽底部清掃装置は、大型の清掃設備を不要とし、水槽内の水流により浮遊魚糞や残存餌、髪、皮膚等の汚物等が集まり流動する水槽底部コーナー部に置くだけで、該集まり流動水を流入出して水流中の前記汚物等を効率よく除去清掃し、或いは水槽の底部に置いて自走させるのみで底部に浮遊或いは沈降している魚糞や残存餌等の汚物を流入してより短時間で効率よく除去清掃するのである。
またフイルターでトラップした魚糞などは、フイルターを有機物にするのみで二次処理を不要とし、フイルターのまま肥料に供給することができる手軽な利用を可能にしたものである。
【考案を実施するための最良の形態】
【０００８】  本考案の水槽底部清掃装置の対象とする水槽は、一般家庭にある水槽や浴槽、浴槽（お風呂のバスタブ）プールは勿論、魚類観賞用水槽や養殖水槽である。
本考案の水槽底部清掃装置において、フイルターは、有機物製フイルターが好ましい。例えばヘチマの内部わたの乾燥処理したもの、繊維で編んだ網、その他スポンジ状の植物繊維製フイルターがある。
本考案の水槽底部清掃装置において、流入ガイドベローは先部を水槽底部面に接触可能に形成し、底板と一体的に形成してよく、別体に作成したもので装着してもよい。
本考案の水槽底部清掃装置において、自走式にする場合は、公知の電池式の有線或いは無線操縦式の自走車輪機構やスクリュー操舵機構を採用する。
本考案の水槽底部清掃装置において、通水路の流入口は上方が後退した広口にして流入効率を高めるようにすることが好ましい。
本考案を実施するための最良の形態は、次の実施例により詳細に説明する、
【実施例１】
【０００９】図１により実施例１を紹介する。実施例１は図１（１）に示すように水槽の底部コーナーに単数又は複数個を設置するタイプの水槽底部清掃装置である。
水槽底部清掃装置は、水槽の底面に沿って形成した金属製の底板１００と、その両側から立ち上げた側部２０１と上方部２０２を囲う樹脂製の囲撓フード２００とにより流入口３０１と流出口３０２を有する通水路３００を形成し、通水路３００内に押え金網８００の前面にヘチマ製のフイルター４００を前方抜き取り交換可能に配置し、流入口３０１は上方が後退した傾斜型の広口にして流入効率を高めるようにしてある。
この水槽底部清掃装置により、魚の遊泳で生じる水槽内水流により浮遊魚糞や残存餌等が集まり流動する水槽底部コーナー部に図１（１）のように連結して置くだけで、該集まり流動水をそのまま矢印のように流入出して水流中の浮遊魚糞や残存餌等をフイルター４００で効率よく除去清掃する。
図中Ｌは水槽底部清掃装置の引き上げようの紐である。
【実施例２】
【００１０】  図２により実施例２を紹介する。実施例２は、電池式の有線操縦式の自走車輪機構を搭載した水槽の底部面を自走するタイプの水槽底部清掃装置である。
水槽底部清掃装置は、水槽の底面に沿って形成した金属製の底板１００と、その両側から立ち上げた側部２０１と上方部２０２をドーム型に囲う樹脂製或いは竹製の囲撓フード７００とにより流入口３０１と流出口３０２を有する通水路３００を形成し、通水路３００内に押え金網８００の前面にヘチマ製のフイルター４００を配置し、流入口３０１側の底板１００にゴム製の流入ガイドベロー５００を設け、囲撓フード７００にフイルター４００を交換する透明樹脂製の交換蓋６００を開閉可能及びロック可能に設けてあり、底板１００に電池式の有線操縦式の自走車輪機構９１０を密封搭載してある。
この水槽底部清掃装置により、水槽の底部に置いて予め記憶させた水槽底部の形状と走行経路パターンと所要時間などに従って自走させるのみで底部に浮遊或いは沈降している魚糞や残存餌等を流入してより短時間で効率よく除去清掃するのである。
【実施例３】
【００１１】  図３により実施例３を紹介する。実施例３は、実施例２の自走車輪機構９１０に代ってスクリュー操舵機構９２０を設けた変形例である。
即ち、底板１００に低摩擦係数の樹脂製ソリ１１０を設け、電池式の有線操縦式のスクリュー操舵機構９２０を搭載して水槽の底部面を滑り走行するタイプの水槽底部清掃装置である。
スクリュー操舵機構９２０の操縦により、スクリュー９２１の回転で流入口３０１から囲撓フード７００内に低流水を吸引しフイルター４００で濾過し流出口３０２から排出するもので、この排出流の勢を推進力にして前進し、同時に方向舵９２２で任意の方向に前進する優れものである。
【産業上の利用可能性】
【００１２】  本考案の水槽底部清掃装置は、前述のように、簡単堅牢構造の装置であり、特別に高価な設備や装置などを要する事が無く、水槽の底部に置くだけで或いは置いて自走させるのみで底部に浮遊或いは沈降した魚糞や残存餌等を効率よく除去清掃する優れた効果を呈するものであり、一般家庭にある水槽や浴槽、プールは勿論、大衆浴場業界、観賞魚業界、魚類養殖業界、肥料業界、農業などに省力化、省エネルギー化効果など多大な貢献をもたらすものである。
【図面の簡単な説明】
【００１３】
【図１】本考案の実施例１の説明図であり、（１）は水槽底部コーナー部への配置平面図、（２）は（３）の矢視Ｂ−Ｂからの側断面説明図、（３）は（２）の矢視Ａ−Ａからの平断面説明図である。る。
【図２】本考案の実施例２の斜視説明図である。
【図３】本考案の実施例３の側断面説明図である。
【符号の説明】
【００１４】１００    底板
２００、７００    囲撓フード
３００    通水路
４００    フイルター
５００    流入ガイドベロー
６００    交換蓋
９１０    自走車輪機構
９２０    スクリュー操舵機構
【図１】
0003157805.tif 000003
【図２】
0003157805.tif 000004
【図３】
0003157805.tif 000005